(57)【要約】【課題】  小型化に資する光装飾装置を提供すること。【解決手段】  透明部材又は半透明部材で構成された装飾板と、前記装飾板にその厚さ方向に貫通して設けられる貫設部材と、光源とを備え、前記貫設部材には前記光源が設置され、前記光源からの光が前記貫通部材における貫通部分から前記装飾板内に放射され該装飾板がその光によって装飾されるように構成されていることを特徴とする。【選択図】図１
2006007586.tif 000002
【特許請求の範囲】
【請求項１】
透明部材又は半透明部材で構成された装飾板と、前記装飾板にその厚さ方向に貫通して設けられる貫設部材と、光源とを備え、前記貫設部材には前記光源が設置され、前記光源からの光が前記貫通部材における貫通部分から前記装飾板内に放射され該装飾板がその光によって装飾されるように構成されていることを特徴とする光装飾装置。
【請求項２】
透明部材又は半透明部材で構成された装飾板と、前記装飾板にその厚さ方向に貫通して設けられる貫設部材と、光源とを備え、前記貫設部材には光路が形成され、前記光源からの光が前記貫通部材における貫通部分から前記装飾板内に放射され該装飾板がその光によって装飾されるように構成されていることを特徴とする光装飾装置。
【請求項３】
前記装飾板には、前記装飾板内に放射された光を乱反射させる装飾部が形成されていることを特徴とする請求項１又は２に記載の光装飾装置。
【請求項４】
前記装飾板の縁部は該装飾板の表面から裏面に行くに従って該装飾板の内方へ向けて傾斜する傾斜面からなる装飾部となっており、その装飾部が光によって装飾されるように構成されていることを特徴とする請求項１から３いずれか一に記載の光装飾装置。
【請求項５】
前記貫設部材は、前記装飾板を支持するための支持部材であることを特徴とする請求項１から４いずれか一に記載の光装飾装置。
【請求項６】
前記貫設部材は、前記装飾板の裏面側に延在する本体と、前記装飾板の表面側に設けられる蓋とを備え、前記本体に対して前記蓋が螺合されるように構成されていることを特徴とする請求項１から５いずれか一に記載の光装飾装置。
【発明の詳細な説明】
【技術分野】
【０００１】
本発明は、光装飾装置に関するものである。
【背景技術】
【０００２】
従来、枠部材、該枠部材の一方の開口を閉塞する表部材及び該表部材と対面して配される裏部材にて構成される箱状部と、該箱状部の内部に配される発光ダイオードと、該発光ダイオードに由来する光の透過によって情報を表示する表示面とを備える表示装置において、前記発光ダイオードを、その光軸が前記表示面と平行となる方向に配した表示装置（光装飾装置）が知られている（例えば、特許文献１を参照）。
【特許文献１】特開２００２−１７５０３１号公報（図４）
【発明の開示】
【発明が解決しようとする課題】
【０００３】
しかしながら、上記特許文献１の光装飾装置では、表部材及び該表部材と対面して配される裏部材にて構成される箱状部の内部に発光ダイオードが配されているため、光装飾装置が大型化してしまうという問題がある。
【０００４】
本発明は、かかる問題点に鑑みてなされたもので、小型化に資する光装飾装置を提供することを目的としている。
【課題を解決するための手段】
【０００５】
請求項１に記載の光装飾装置は、透明部材又は半透明部材で構成された装飾板と、前記装飾板にその厚さ方向に貫通して設けられる貫設部材と、光源とを備え、前記貫設部材には前記光源が設置され、前記光源からの光が前記貫通部材における貫通部分から前記装飾板内に放射され該装飾板がその光によって装飾されるように構成されていることを特徴とする。
装飾板内に光を放射する場合、貫通部材の全方位に放射してもよいし、特定の方向にだけ光を放射してもよい。また、装飾板の光装飾は、装飾板内に光を放射して装飾板全体を光らせるものであってもよい。さらに、装飾板の光装飾は、装飾板の裏面に付設された絵柄等を光によって照明するようなものであってもよい。また、効果的に光装飾するのに特に制限はされないが装飾板の材料に蛍光材や畜光材等を混ぜてもよい。
また、光源としては特に限定はされないが消費電力の小さい発光ダイオードを使用することが好ましい。この場合、発光ダイオードの種類を変更することで色のバリエーションが可能となる。また、電源としては商業用又は家庭用電源を用いたり、電池やソーラバッテリを用いることができる。
さらに、貫設部材としては装飾板の支持部材に限定されない。
また、光装飾の表現としては、単なる点灯の他に、制御装置を使用しての点滅やイルミネーションなど、多種多様な表現が可能である。
【０００６】
請求項２に記載の光装飾装置は、透明部材又は半透明部材で構成された装飾板と、前記装飾板にその厚さ方向に貫通して設けられる貫設部材と、光源とを備え、前記貫設部材には光路が形成され、前記光源からの光が前記貫通部材における貫通部分から前記装飾板内に放射され該装飾板がその光によって装飾されるように構成されていることを特徴とする。
装飾板内に光を放射する場合、貫通部材の全方位に放射してもよいし、特定の方向にだけ光を放射してもよい。さらに、光源の設置場所は、例えば、装飾パネルが壁に取り付けられる場合には壁内であってもよい。また、装飾板の光装飾は、装飾板内に光を放射して装飾板全体を光らせるものであってもよい。さらに、装飾板の光装飾は、装飾板の裏面に付設された絵柄等を光によって照明するようなものであってもよい。
【０００７】
請求項３に記載の光装飾装置は、請求項１又は２に記載の光装飾装置において、前記装飾板には、前記装飾板内に放射された光を乱反射させる装飾部が形成されていることを特徴とする。
乱反射させる装飾部は、装飾板の表面又は裏面に設けられる溝又は凹凸部のいずれか一方又は双方で形成してもよいし、レーザ加工による内部加工によって形成してもよい。凹凸部分の一例としては、曇りガラス状加工部分があげられる。この場合の凹凸部分の形状は文字、図形若しくは記号又はこれらの組み合わせから構成することができる。
【０００８】
請求項４に記載の光装飾装置は、請求項１から３いずれか一に記載の光装飾装置において、前記装飾板の縁部は該装飾板の表面から裏面に行くに従って該装飾板の内方へ向けて傾斜する傾斜面からなる装飾部となっており、その装飾部が光によって装飾されるように構成されていることを特徴とする。
【０００９】
請求項５に記載の光装飾装置は、請求項１から４いずれか一に記載の光装飾装置において、前記貫設部材は、前記装飾板を支持するための支持部材であることを特徴とする。この場合の支持部材の例としては、脚、ボルトその他各種留め具等があげられる。好ましくはこの支持部材内に光源を設置することが好ましい。
【００１０】
請求項６に記載の光装飾装置は、請求項１から５いずれか一に記載の光装飾装置において、前記貫設部材は、前記装飾板の裏面側に延在する本体と、前記装飾板の表面側に設けられる蓋とを備え、前記本体に対して前記蓋が螺合されるように構成されていることを特徴とする。
【発明の効果】
【００１１】
請求項１から６に記載の発明によれば、光源からの光が貫通部材における貫通部分から装飾板内に放射されるようになっているので、光装飾装置を小型化することができる。
【発明を実施するための最良の形態】
【００１２】
以下に、本発明に係る光装飾装置を図面を参照しながら説明する。
図１は本発明に係る光装飾装置を示した斜視図、図２は図１におけるＡ−Ａ線断面図、図３（ａ），（ｂ），（ｃ）は光源ユニットの各種態様を示した斜視図、図４乃至図１１は本発明に係る光装飾装置の態様を示した斜視図である。
【００１３】
図１に示した光装飾装置１では、装飾板１０が支持部材（貫通部材）２０によって支持されている。
装飾板１０は、透明部材によって構成されており、その表面に、微細な凹凸による文字等の装飾部１１が形成されている。そして、この装飾板１０には、適宜箇所に支持部材挿通孔１２が設けられている。
支持部材２０は、図２に示したように、一端面に凹部２１ａを有する基台２１と、該基台の凹部２１ａに嵌着させた透明円筒体２２と、該円筒体の上端外周縁に装着する蓋２３とによって構成されている。
【００１４】
そして、支持部材２０の基台２１の他端を、壁等の取り付け部に取付け、透明円筒体２２を装飾板１０の支持部材挿通孔１２に挿通させた後に、円筒体２２の端部に蓋２３を装着させ、それによって、該蓋と基台２１の一端との間で装飾板１０を挟持する。
この支持部材２０には、円筒体２２と基台２１と蓋２３との間に中空部２４が形成されるが、この中空部に光源２５が収容され、そのコード２５ａは、基台２１内に形成されたコード挿通孔２１ｂに挿通され、図示しない電源に接続される。この場合の電源としては商業用又は家庭用電源、その他電池又はソーラバッテリ等を使用することができる。
【００１５】
このように構成された光装飾装置１では、光源２５の光が透明円筒体２２を透過して装飾板１０の肉厚部に放射され、装飾部１１の凹凸によって乱反射される。そして、この乱反射によって、装飾部１１が光装飾される。
【００１６】
なお、図１および図２に示した光装飾装置１では、光源２５として発光ダイオード（ＬＥＤ）を示しているが、光源２５として、図３に示した光源ユニット２６，２７，２８を採用することもできる。
【００１７】
図３（ａ）に示した光源ユニット２６は、透明な円錐体２６ａの頂点端部に光源収容穴２６ｂを形成し、その穴内にＬＥＤ等の光源２５を収容したもので、光源２５の光は、円錐体２６ａの周面で反射して、円錐体２６ａの底面から放射される。
この光源ユニット２６の場合には、光源２５の光の殆どが円錐体２６ａの底面から照射されるため、特定の方向に位置する装飾部１０を効果的に光装飾することができる。
【００１８】
図３（ｂ）に示した光源ユニット２７は、透明な中実柱状体２７ａの一端面に円錐体形の錐状凹部２７ｂを形成し、中実柱状体２７ａの他端面にＬＥＤ等の光源２５を配置させたもので、光源２５の光は、錐状凹部２７ｂの周面で反射して、中実柱状体２７ａの周面から放射される。なお、特に限定はされないが、ここでの中実柱状体２７ａは円柱状とされ、錐状凹部２７ｂは円錐状凹部とされている。
この光源ユニット２７の場合には、光源２５の光を円柱体２７ａの周面から全方位に亘って放射することができる。
【００１９】
図３（ｃ）に示した光源ユニット２８は、透明な中実柱状体２８ａと、該中実柱状体から後方に延設された透明な錐状凸部２８ｂとによって形成され、さらに、中実柱状体２８ａの先端面に錐状凹部２８ｃを有し、錐状凸部２８ｂの頂点部に光源収容穴２８ｄを有し、該穴に光源２５を収容させたもので、光源２５の光は、錐状凸部２８ｂの周面で反射し、さらに、錐状凹部２８ｃの周面で反射して、中実柱状体２８ａの周面から放射される。なお、特に限定はされないが、ここでの中実柱状体２８ａは円柱状とされ、錐状凸部２８ｂは円錐状凸部とされ、錐状凹部２８ｃは円錐状凹部とされている。
この光源ユニット２８の場合には、光源２５の光の殆どが中実柱状体２８ａの周面から全方位に亘って均一に放射することができる。
【００２０】
図４〜図１４は、本発明に係る光装飾装置１の設置態様を示している。これらの図において符号１０は光装飾板を、３０は貫設部材を示している。
【００２１】
図４に示した光装飾装置１は、オーディオ装置の名板として使用している。このような設置態様の光装飾装置は、オーディオ装置の名板ばかりでなく、他の電子機器の表示部（装飾部）にも適用することができる。
【００２２】
図５に示した光装飾装置は１は、フォトスタンドに適用した例を示している。このような設置態様の光装飾装置１は、その他の置物等にも適用することができる。
【００２３】
図６に示した光装飾装置１は、時計に適用した例を示している。このような設置態様の光装飾装置は、壁掛け等にも適用できる。
【００２４】
図７に示した光装飾装置１は、カウンターテーブルに適用した例を示している。このような設置態様の光装飾装置１は、一般的なテーブルにも適用できる。
【００２５】
図８に示した光装飾装置１は、門，入口の壁等の表札に適用した例を示している。このような設置態様の光装飾装置は、ホテルのルームナンバー，室名を表示するプレートとしても適用することができる。
【００２６】
図９に示した光装飾装置１は、店舗サインに適用した例を示している。このような設置態様の光装飾装置は、各種案内板等にも適用することができる。
【００２７】
図１０に示した光装飾装置１は、室内の天井から吊り下げて、インテリア照明に適用した例を示している。
【００２８】
図１１に示した光装飾装置１は、劇場等の空間演出に適用した例を示している。
【００２９】
図１２に示した光装飾装置１は、大きさの同じ（楕円状の）装飾板１０を所定の間隔をおいて複数枚（ここでは３枚）設けたものである。この光装飾装置１では、各装飾板１０に設けた装飾部１１が同じ形状（ここでは「Ａ」の文字）となっている。そして、この光装飾装置１では、貫設部材の貫通部分から該装飾板内に放射される光によって装飾部１１が装飾されるように構成されている。この場合、各装飾板内に放射される光の色を異ならしめることが好ましい。このようにすれば、光らせる装飾板１０を適宜に選択することによって、様々な色で装飾部１１を装飾できることになる。
なお、装飾部１１の形状を各装飾板の間で変えることもできる。例えば、最も表側にある装飾板１０の装飾部１１を主たる装飾部とし、その裏側にある装飾板１０の装飾部１１を前記主たる装飾部１１の背景装飾とすることができる。
【００３０】
図１３に示した光装飾装置１は、大きさの異なる（円状の）装飾板１０を所定の間隔をおいて複数枚（ここでは３枚）設けたものである。ここでは、装飾板１０の大きさは下側に行くに従って大きくなるように構成している。そして、この光装飾装置１では、貫設部材の貫通部分から該装飾板内に放射される光によって装飾するように構成されている。この場合、装飾板１０の縁部を丸めたり、縁部の表面側又は裏面側を面取りすることが好ましい。
この光装飾装置１は天井などに吊してインテリア照明に用いることができる。
【００３１】
図１４に示した光装飾装置１は、装飾板１０を所定の間隔をおいて複数枚（ここでは５枚）設け、全体としてほぼ球状となるように構成したものである。そして、この光装飾装置１では、貫設部材の貫通部分から該装飾板内に放射される光によって装飾するように構成されている。この場合、装飾板１０の縁部を丸めたり、縁部の表面側又は裏面側を面取りすることが好ましい。
この光装飾装置１は天井などに吊してインテリア照明に用いることができる。
【００３２】
以上、本発明の実施形態を説明したが、本発明は、かかる実施形態に限定されるものでなく、その要旨を逸脱しない範囲で種々の変形が可能である。
【００３３】
例えば、上記実施形態の光装飾装置１では電源投入の方式を説明しなかったが、人が電源スイッチを操作することによって電源をＯＮ、ＯＦＦしてもよいし、光センサを用いて周囲の明るさの変化に応じて電源をＯＮ、ＯＦＦしてもよい。また、赤外線センサを用いて人の離接に応じて電源をＯＮ、ＯＦＦしてもよい。さらに、他のセンサを使用して外部環境の変化に応じて電源をＯＮ、ＯＦＦ電源投入を行ってもよい。
【図面の簡単な説明】
【００３４】
【図１】本発明に係る光装飾装置の一実施の形態を示した斜視図である。
【図２】図１におけるＡ−Ａ線断面図である。
【図３】本発明に係る光装飾装置に適用される光源ユニットの各種態様を示した斜視図
【図４】本発明に係る光装飾装置の設置態様を示した斜視図である。
【図５】本発明に係る光装飾装置の他の設置態様を示した斜視図である。
【図６】本発明に係る光装飾装置のさらに他の設置態様を示した斜視図である。
【図７】本発明に係る光装飾装置のさらに他の設置態様を示した斜視図である。
【図８】本発明に係る光装飾装置のさらに他の設置態様を示した斜視図である。
【図９】本発明に係る光装飾装置のさらに他の設置態様を示した斜視図である。
【図１０】本発明に係る光装飾装置のさらに他の設置態様を示した斜視図である。
【図１１】本発明に係る光装飾装置のさらに他の設置態様を示した斜視図である。
【図１２】本発明に係る光装飾装置のさらに他の設置態様を示した斜視図である。
【図１３】本発明に係る光装飾装置のさらに他の設置態様を示した斜視図である。
【図１４】本発明に係る光装飾装置のさらに他の設置態様を示した斜視図である。
【符号の説明】
【００３５】
１  光装飾装置
１０  装飾板
１１  装飾部
２０  支持部材（貫設部材）
２１  基台（本体）
２２  透明円筒体
２３  蓋
２５  光源
【図１】
2006007586.tif 000003
【図２】
2006007586.tif 000004
【図３】
2006007586.tif 000005
【図４】
2006007586.tif 000006
【図５】
2006007586.tif 000007
【図６】
2006007586.tif 000008
【図７】
2006007586.tif 000009
【図８】
2006007586.tif 000010
【図９】
2006007586.tif 000011
【図１０】
2006007586.tif 000012
【図１１】
2006007586.tif 000013
【図１２】
2006007586.tif 000014
【図１３】
2006007586.tif 000015
【図１４】
2006007586.tif 000016
【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
透明部材又は半透明部材で構成された装飾板と、前記装飾板にその厚さ方向に貫通して設けられる貫設部材と、光源とを備え、前記貫設部材における前記装飾板への貫通部分には前記光源が設置され、前記光源からの光が前記貫通部材における貫通部分を通して前記装飾板の内部に放射され該装飾板が内部からの光によって装飾されるように構成されていることを特徴とする光装飾装置。
【請求項２】
透明部材又は半透明部材で構成された装飾板と、前記装飾板にその厚さ方向に貫通して設けられる貫設部材と、光源とを備え、前記貫設部材における前記装飾板への貫通部分には光路が形成され、前記光源からの光が前記貫通部材における貫通部分を通して前記装飾板内の内部に放射され該装飾板が内部からの光によって装飾されるように構成されていることを特徴とする光装飾装置。
【請求項３】
前記装飾板には、前記装飾板内に放射された光を乱反射させる装飾部が形成されていることを特徴とする請求項１又は２に記載の光装飾装置。
【請求項４】
前記装飾板の縁部は該装飾板の表面から裏面に行くに従って該装飾板の内方へ向けて傾斜する傾斜面からなる装飾部となっており、その装飾部が光によって装飾されるように構成されていることを特徴とする請求項１から３いずれか一に記載の光装飾装置。
【請求項５】
前記貫設部材は、前記装飾板を支持するための支持部材であることを特徴とする請求項１から４いずれか一に記載の光装飾装置。
【請求項６】
前記貫設部材は、前記装飾板の裏面側に延在する本体と、前記装飾板の表面側に設けられる蓋とを備え、前記本体に対して前記蓋が螺合されるように構成されていることを特徴とする請求項１から５いずれか一に記載の光装飾装置。
【手続補正２】
【補正対象書類名】明細書
【補正対象項目名】０００５
【補正方法】変更
【補正の内容】
【０００５】
請求項１に記載の光装飾装置は、透明部材又は半透明部材で構成された装飾板と、前記装飾板にその厚さ方向に貫通して設けられる貫設部材と、光源とを備え、前記貫設部材における前記装飾板への貫通部分には前記光源が設置され、前記光源からの光が前記貫通部材における貫通部分を通して前記装飾板の内部に放射され該装飾板が内部からの光によって装飾されるように構成されていることを特徴とする。
装飾板内に光を放射する場合、貫通部材の全方位に放射してもよいし、特定の方向にだけ光を放射してもよい。また、装飾板の光装飾は、装飾板内に光を放射して装飾板全体を光らせるものであってもよい。さらに、装飾板の光装飾は、装飾板の裏面に付設された絵柄等を光によって照明するようなものであってもよい。また、効果的に光装飾するのに特に制限はされないが装飾板の材料に蛍光材や畜光材等を混ぜてもよい。
また、光源としては特に限定はされないが消費電力の小さい発光ダイオードを使用することが好ましい。この場合、発光ダイオードの種類を変更することで色のバリエーションが可能となる。また、電源としては商業用又は家庭用電源を用いたり、電池やソーラバッテリを用いることができる。
さらに、貫設部材としては装飾板の支持部材に限定されない。
また、光装飾の表現としては、単なる点灯の他に、制御装置を使用しての点滅やイルミネーションなど、多種多様な表現が可能である。
【手続補正３】
【補正対象書類名】明細書
【補正対象項目名】０００６
【補正方法】変更
【補正の内容】
【０００６】
請求項２に記載の光装飾装置は、透明部材又は半透明部材で構成された装飾板と、前記装飾板にその厚さ方向に貫通して設けられる貫設部材と、光源とを備え、前記貫設部材における前記装飾板への貫通部分には光路が形成され、前記光源からの光が前記貫通部材における貫通部分を通して前記装飾板内の内部に放射され該装飾板が内部からの光によって装飾されるように構成されていることを特徴とする。
装飾板内に光を放射する場合、貫通部材の全方位に放射してもよいし、特定の方向にだけ光を放射してもよい。さらに、光源の設置場所は、例えば、装飾パネルが壁に取り付けられる場合には壁内であってもよい。また、装飾板の光装飾は、装飾板内に光を放射して装飾板全体を光らせるものであってもよい。さらに、装飾板の光装飾は、装飾板の裏面に付設された絵柄等を光によって照明するようなものであってもよい。